(57)【特許請求の範囲】
【請求項１】
巻軸の両端に上鍔と下鍔とを有するドラム型コアと、
前記ドラム型コアを収納するための上面と下面を貫通する孔を有するリング型コアと、
前記リング型コアの側面に配置された一対の外部端子とを具え、
前記外部端子は、側面部と、前記側面部の両端の同じ方向に折り曲げられた上面部と下面部とからなり、
前記側面部と前記下面部との折り曲げ部には、内側に突出する凸部が設けられ、
前記リング型コアの前記側面と前記下面との稜線部には、前記凸部に嵌合する凹部が設けられ、
前記外部端子の前記側面部と前記下面部とで、前記リング型コアの前記上面と前記下面とを挟持するとともに、前記凸部と前記凹部とが嵌合している
ことを特徴とする表面実装インダクタ。
【請求項２】
前記凸部は三角リブである
請求項１記載の表面実装インダクタ
【請求項３】
前記外部端子の前記上面部は、付勢力によって前記リング型コアを挟持する
請求項１または請求項２のいずれかに記載の表面実装インダクタ。
【請求項４】
前記ドラム型コアの前記下面と前記リング型コアの前記下面とを揃えて配置され、前記ドラム型コアの前記上鍔は前記リング型コアの前記上面から突出しており、
前記上面部の先端部分は、さらに上方向に曲げられて、
前記上面部の先端部分の表面が前記上鍔の外周面に当接して、前記ドラム型コアの位置を規制する
請求項１乃至請求項３のいずれかに記載の表面実装インダクタ。
【発明の詳細な説明】
【技術分野】
【０００１】
本発明は、ドラム型コアとドラム型コアを収納するリング型コアとリング型コアに配置された一対の外部端子とからなるインダクタに関する。
【０００２】
ＤＣ／ＤＣコンバータ等のチョークコイル用として、巻線したドラム型コアをリング型コアの孔に収納し、金属板を所望の形状に打ち抜いて折り曲げた一対の外部端子を、リング型コアの外装に配置した、閉磁路構造のインダクタが用いられている。このようなインダクタは、構造が簡単なため、価格競争が激しい。
【先行技術文献】
【特許文献】
【０００３】
【特許文献１】特開２００９−２６６９５４号公報
【発明の概要】
【発明が解決しようとする課題】
【０００４】
上記した閉磁路構造のインダクタでは、ドラム型コアとリング型コアとの間隙の間隔がばらついた場合に、インダクタの特性値がばらつく。このばらつきを抑えるために、余計な部材や工程の追加すると、価格上昇の原因となってしまう問題がある。
そのため、単純で安価な構造で、しかも精度良く組み立て可能な構造のインダクタであることが求められている。
【課題を解決するための手段】
【０００５】
本発明の表面実装インダクタは、巻軸の両端に上鍔と下鍔とを有するドラム型コアと、前記ドラム型コアを収納するための上面と下面を貫通する孔を有するリング型コアと、前記リング型コアの側面に配置された一対の外部端子とを具え、前記外部端子は、側面部と、前記側面部の両端の同じ方向に折り曲げられた上面部と下面部とからなり、前記側面部と前記下面部との折り曲げ部には、内側に突出する凸部が設けられ、前記リング型コアの前記側面と前記下面との稜線部には、前記凸部に嵌合する凹部が設けられ、前記外部端子の前記側面部と前記下面部とで、前記リング型コアの前記上面と前記下面とを挟持するとともに、前記凸部と前記凹部とが嵌合していることを特徴とする。
【発明の効果】
【０００６】
本発明によれば、外部端子の折り曲げ部分に設けられた凸部と、リング型コアに設けられた凹部とが嵌合して、外部端子が位置決めされるため、精度よく組み立てすることができる。
【図面の簡単な説明】
【０００７】
【図１】本発明の表面実装インダクタの斜視図である。
【図２】本発明の表面実装インダクタの分解斜視図である。
【図３】本発明の表面実装インダクタの縦断面図とその部分拡大図である。
【発明を実施するための形態】
【実施例】
【０００８】
以下、図面を参照しながら本発明の表面実装インダクタの一実施例を説明する。
図１は、本発明の表面実装インダクタの一実施例を示す斜視図であり、図２は、分解斜視図を示している。図３（ａ）は、図１においてＡ−Ａで示した位置の縦断面を示し、図３（ｂ）、図３（ｃ）は、ぞれぞれ、図３（ａ）の部分拡大図を示している。
【０００９】
図１〜図３に示すように、面実装インダクタ１０は、
巻軸２１の両端に上鍔２２ａ、下鍔２２ｂをそれぞれ有するドラム型コア２０と、
、巻線４０と、
ドラム型コアより高さが低く、平面視で角部が面取りされた略正方形で、ドラム型コア２０を収納するための上面３２ａと下面３２ｂを貫通する貫通孔３１が設けられたリング型コア３０と、
リング型コア３０の対向する側面３２ｃ、３２ｄに配置され、巻線４０の端末部４１、４１がそれぞれ接続された外部端子５０、５０とからなる。
【００１０】
ドラム型コア２０とリング型コア３０とはフェライトからなり、巻線４０はポリウレタン等で絶縁被覆された導線からなり、外部端子は所望の形状に打ち抜いた金属板を折り曲げて形成されている。
【００１１】
リング型コア３０の上面３２ａには、巻線４０の端末部４１、４１をドラム型コア３０の外周に引き出すための溝３３、３３が設けられ、対向する側面３２ｃ、３２ｄと下面３２ｂとの稜線部には、三角形状の凹部３４、３４がそれぞれ設けられている。
【００１２】
外部端子５０は、側面部５１と、側面部５１の一方の端に設けられた下面部５２と、他方の端に設けられた上面部５３と、側面部５１の側面方向に設けられた継線部５６とからなる。下面部５２と上面部５３は、側面部５１に対して同じ方向に略直角に折り曲げられて、断面コの字形状に形成されている。側面部５１の高さは、リング型コア３０の高さより稍々高く形成されている。
【００１３】
上面部５３は、第１上面部５３ａと、第１上面部５３ａの両側面に配置された第２上面部５３ｂ、５３ｂとに分割されている。
第１上面部５３ａは、中間部が方向に折れ曲げられた断面くの字形状に形成され、側面部５１とは直角より稍々鋭角に折り曲げられている。
第２上面部５３ｂの先端には、さらに上方向に折り曲げられた縁部５５が設けられている。
継線部５６の先端には、さらに折り返して曲げられた爪部５７が設けられている。
側面部５１と下面部５２の稜線部には、三角リブ５４が設けられている。
【００１４】
巻線４０が巻回されたドラム型コア２０が、それぞれの端末部４１、４１を、溝３２、３２からそれぞれ引き出し、リング型コア３０の下面３２ｂとドラム型コア２０の下鍔２２ｂの下面とを同一平面とするように、リング型コア３０の孔３１に収納される。
このとき、リング型コア３０の高さよりドラム型コア２０の高さより高いので、ドラム型コア２０の上鍔２２ａがリング型コア３０の上面より突出している。
【００１５】
外部端子５０、５０は、三角リブ５４が、凹部３４に嵌合するように、リング型コア３０の対向する側面３２ｃ、３２ｄにそれぞれ配置される。
このとき、外部端子５０は、下面部５２は三角リブ５４により開きが防止され、第１上面部５３ａは稍々鋭角に折り曲げられてバネ力が働くので、外部端子５０は三角リブ５４と凹部３４との嵌合が密着するようにリング型コア３０を挟持する。また、縁部５５がドラム型コア２０の上鍔２２ａの外周面に当接してドラム型コア２０の位置を規制する。
【００１６】
端末部４１は、外部端子５０の爪部に配置されて、はんだ付け等で電気的に接続される。
【００１７】
上記した面実装インダクタは、三角リブ５４と凹部３４とが嵌合して位置決めされ、第２上面部５３ｂの縁部５５がドラム型コア２０の上鍔２０ａの外周面に当接して、ドラム型コアの位置を規制するため、精度よく組み立てすることができる。
また、縁部５５は、ドラム型コア２０とリング型コア３０との間に挟み込むために、リング型コア３０に取り付け後に外部端子の一部を折曲げする作業の必要がない。さらに、閉磁路の経路上にないので、縁部５５に渦電流が生じてインダクタの特性が劣化することがない。
【符号の説明】
【００１８】
１０  面実装インダクタ
２０  ドラム型コア
２１  巻軸
２２ａ  上鍔
２２ｂ  下鍔
３０  リング型コア
３１  孔
３２ａ  上面
３２ｂ  下面
３２ｃ、３２ｄ  側面
３３  溝
３４  凹部
４０  巻線
４１  端末部
５０  外部端子
５１  側面部
５２  下面部
５３、５３ａ、５３ｂ  上面部
５４  凸部
５５  縁部
５６  継線部
５７  爪部
【図１】
0006447223.tif 000002
【図２】
0006447223.tif 000003
【図３】
0006447223.tif 000004